(57)【要約】  サプリメント供給支援装置は、ユーザのトレーニングに係る情報を取得する取得部と、トレーニングに係る情報に応じてサプリメントの供給態様をレコメンドするレコメンドアルゴリズムに基づいて、ユーザのトレーニングに係る情報に応じたサプリメントの供給態様を決定するサプリメント決定部と、を備える。
2020170940.tif 000002
【特許請求の範囲】
【請求項１】
ユーザのトレーニングに係る情報を取得する取得部と、
トレーニングに係る情報に応じてサプリメントの供給態様をレコメンドするレコメンドアルゴリズムに基づいて、前記ユーザのトレーニングに係る情報に応じたサプリメントの供給態様を決定する決定部と、を備えるサプリメント供給支援装置。
【請求項２】
前記取得部は、前記ユーザのトレーニングに係る情報として、前記ユーザがトレーニングを実施することにより得られるトレーニング実施情報を取得し、
前記決定部は、前記トレーニング実施情報を前記レコメンドアルゴリズムに入力することにより、前記サプリメントの供給態様を決定する、請求項１記載のサプリメント供給支援装置。
【請求項３】
前記取得部は、前記トレーニング実施情報として、トレーニングの実施中に自動的に記録されるログ情報を取得し、
前記決定部は、前記ログ情報を前記レコメンドアルゴリズムに入力することにより、前記サプリメントの供給態様を決定する、請求項２記載のサプリメント供給支援装置。
【請求項４】
前記取得部は、前記トレーニング実施情報として、トレーニングの実施後において前記ユーザによって記録されるユーザ体感情報を取得し、
前記決定部は、前記ユーザ体感情報を前記レコメンドアルゴリズムに入力することにより、前記サプリメントの供給態様を決定する、請求項２又は３記載のサプリメント供給支援装置。
【請求項５】
前記取得部は、前記ユーザのトレーニングに係る情報として、前記ユーザがトレーニングを実施する前に得られるトレーニング実施前情報を取得し、
前記決定部は、前記トレーニング実施前情報を前記レコメンドアルゴリズムに入力することにより、前記サプリメントの供給態様を決定する、請求項１〜４のいずれか一項記載のサプリメント供給支援装置。
【請求項６】
前記取得部は、前記トレーニング実施前情報として、実施予定のトレーニングの内容を取得し、
前記決定部は、前記トレーニングの内容を前記レコメンドアルゴリズムに入力することにより、前記サプリメントの供給態様を決定する、請求項５記載のサプリメント供給支援装置。
【請求項７】
前記取得部は、前記トレーニング実施前情報として、実施予定のトレーニングの目的を取得し、
前記決定部は、前記トレーニングの目的を前記レコメンドアルゴリズムに入力することにより、前記サプリメントの供給態様を決定する、請求項５又は６記載のサプリメント供給支援装置。
【請求項８】
前記取得部は、前記トレーニング実施前情報として、前記ユーザの生活データを取得し、
前記決定部は、前記生活データを前記レコメンドアルゴリズムに入力することにより、前記サプリメントの供給態様を決定する、請求項５〜７のいずれか一項記載のサプリメント供給支援装置。
【請求項９】
前記レコメンドアルゴリズムを生成する生成部を更に備え、
前記生成部は、複数のユーザのトレーニングに係る情報と摂取しているサプリメントに係る情報とに基づき、前記レコメンドアルゴリズムを更新する、請求項１〜８のいずれか一項記載のサプリメント供給支援装置。
【請求項１０】
前記生成部は、トレーニング頻度又は強度が所定の閾値以上のユーザに関する前記トレーニングに係る情報及び前記サプリメントに係る情報のみを用いて、前記レコメンドアルゴリズムを生成又は更新する、請求項９記載のサプリメント供給支援装置。
【請求項１１】
サプリメント供給支援装置が実行するサプリメント供給支援方法であって、
ユーザのトレーニングに係る情報を取得するステップと、
トレーニングに係る情報に応じてサプリメントの供給態様をレコメンドするレコメンドアルゴリズムに基づいて、前記ユーザのトレーニングに係る情報に応じたサプリメントの供給態様を決定するステップと、を含むサプリメント供給支援方法。
【発明の詳細な説明】
【技術分野】
【０００１】
本発明の一態様は、サプリメント供給支援装置及びサプリメント供給支援方法に関する。
【背景技術】
【０００２】
特許文献１には、ユーザのスケジュール情報及びサプリメント供給可能情報等を考慮して、サプリメント供給支援装置が配合すべきサプリメント情報を決定するサプリメント配合支援方法が記載されている。
【先行技術文献】
【特許文献】
【０００３】
【特許文献１】特許第６０１９２６２号
【発明の概要】
【発明が解決しようとする課題】
【０００４】
ここで、例えばアスリート等、積極的にトレーニングを行うユーザにとっては、単にユーザの情報やサプリメントの情報に基づいてサプリメントの供給態様が決定されるのではなく、ユーザが実施するトレーニングの情報が考慮されてサプリメントの供給態様が決定されてもよい。【０００５】
本発明の一態様は上記実情に鑑みてなされたものであり、トレーニングを行うユーザに適した供給態様でサプリメントを供給することを目的とする。
【課題を解決するための手段】
【０００６】
本発明の一態様に係るサプリメント供給支援装置は、ユーザのトレーニングに係る情報を取得する取得部と、トレーニングに係る情報に応じてサプリメントの供給態様をレコメンドするレコメンドアルゴリズムに基づいて、ユーザのトレーニングに係る情報に応じたサプリメントの供給態様を決定する決定部と、を備える。【０００７】
本発明の一態様に係るサプリメント供給支援方法は、ユーザのトレーニングに係る情報を取得するステップと、トレーニングに係る情報に応じてサプリメントの供給態様をレコメンドするレコメンドアルゴリズムに基づいて、ユーザのトレーニングに係る情報に応じたサプリメントの供給態様を決定するステップと、を含む。【０００８】
本発明の一態様に係るサプリメント供給支援装置及びサプリメント供給支援方法では、ユーザのトレーニングに係る情報がレコメンドアルゴリズムに入力されて、該ユーザのトレーニングに係る情報に応じたサプリメントの供給態様が決定される。このように、ユーザのトレーニングに係る情報が考慮されて、例えばサプリメントの種類、量、摂取タイミング等の供給態様が決定されることにより、トレーニングを行うユーザに適した供給態様でサプリメントを供給することができる。【０００９】
上記サプリメント供給支援装置において、取得部は、ユーザのトレーニングに係る情報として、ユーザがトレーニングを実施することにより得られるトレーニング実施情報を取得し、決定部は、トレーニング実施情報をレコメンドアルゴリズムに入力することにより、サプリメントの供給態様を決定してもよい。実際にトレーニングを実施して得られる情報に基づいてサプリメントの供給態様が決定されることにより、トレーニングの実施結果に対応した供給態様でサプリメントを供給することができる。【００１０】
上記サプリメント供給支援装置において、取得部は、トレーニング実施情報として、トレーニングの実施中に自動的に記録されるログ情報を取得し、決定部は、ログ情報をレコメンドアルゴリズムに入力することにより、サプリメントの供給態様を決定してもよい。これにより、ユーザの感覚ではなくデータとして実際に記録された情報に基づいて、トレーニングの実施結果に対応したサプリメントを供給することができる。【００１１】
上記サプリメント供給支援装置において、取得部は、トレーニング実施情報として、トレーニングの実施後においてユーザによって記録されるユーザ体感情報を取得し、決定部は、ユーザ体感情報を前記レコメンドアルゴリズムに入力することにより、サプリメントの供給態様を決定してもよい。これにより、トレーニングを行ったユーザの感想等の体感情報を考慮して、よりユーザの要望（感覚）に沿ったサプリメントを供給することができる。【００１２】
上記サプリメント供給支援装置において、取得部は、ユーザのトレーニングに係る情報として、ユーザがトレーニングを実施する前に得られるトレーニング実施前情報を取得し、決定部は、トレーニング実施前情報をレコメンドアルゴリズムに入力することにより、サプリメントの供給態様を決定してもよい。トレーニングを実施する前に得られる情報に基づいてサプリメントの供給態様が決定されることにより、これから実施するトレーニングに対応した供給態様でサプリメントを供給することができる。【００１３】
上記サプリメント供給支援装置において、取得部は、トレーニング実施前情報として、実施予定のトレーニングの内容を取得し、決定部は、トレーニングの内容をレコメンドアルゴリズムに入力することにより、サプリメントの供給態様を決定してもよい。これにより、これから実施するトレーニングの内容（強度、量等）に沿ったサプリメントを供給することができる。【００１４】
上記サプリメント供給支援装置において、取得部は、トレーニング実施前情報として、実施予定のトレーニングの目的を取得し、決定部は、トレーニングの目的をレコメンドアルゴリズムに入力することにより、サプリメントの供給態様を決定してもよい。これにより、これから実施するトレーニングの目的（筋力強化、持久力強化、ダイエット等）に沿ったサプリメントを供給することができる。【００１５】
上記サプリメント供給支援装置において、取得部は、トレーニング実施前情報として、ユーザの生活データを取得し、決定部は、生活データをレコメンドアルゴリズムに入力することにより、サプリメントの供給態様を決定してもよい。これにより、例えば睡眠時間等のユーザ特有の生活データを考慮して、ユーザの生活パターンに沿ったサプリメントを供給することができる。【００１６】
上記サプリメント供給支援装置は、レコメンドアルゴリズムを生成する生成部を更に備え、生成部は、複数のユーザのトレーニングに係る情報と摂取しているサプリメントに係る情報とに基づき、レコメンドアルゴリズムを更新してもよい。このように、各ユーザのトレーニングに係る情報とサプリメントに係る情報とが考慮されてレコメンドアルゴリズムが更新されることにより、該レコメンドアルゴリズムを用いて、トレーニングとの関連度が高いサプリメントを供給することができる。【００１７】
上記サプリメント供給支援装置において、生成部は、トレーニング頻度又は強度が所定の閾値以上のユーザに関するトレーニングに係る情報及びサプリメントに係る情報のみを用いて、レコメンドアルゴリズムを生成又は更新してもよい。このように、トレーニング頻度及び強度が高いユーザの情報のみを用いてレコメンドアルゴリズムが生成（及び更新）されることにより、例えばあまりトレーニングを行わないユーザ（すなわち、トレーニングとサプリメントとが適切に対応付いていない可能性が高いユーザ）を除いてレコメンドアルゴリズムを生成（及び更新）することができる。このように生成したレコメンドアルゴリズムを用いることによって、トレーニングを行うユーザにより適した供給態様でサプリメントを供給することができる。
【発明の効果】
【００１８】
本発明の一態様によれば、トレーニングを行うユーザに適した供給態様でサプリメントを供給することができる。
【図面の簡単な説明】
【００１９】
【図１】本発明の実施形態に係るサプリメント供給システムを模式的に示す図である。
【図２】図１のサプリメント供給システムに含まれるサプリメント供給支援装置の機能構成を示す図である。
【図３】サプリメント供給支援装置の制御装置のハードウェア構成図である。
【図４】サプリメント供給支援装置が実行する供給態様決定処理のフローチャートである。
【図５】サプリメント供給支援装置が実行する更新利用情報判定処理のフローチャートである。
【発明を実施するための形態】
【００２０】
以下、実施形態について図面を参照しつつ詳細に説明する。説明において、同一要素又は同一機能を有する要素には同一の符号を付し、重複する説明を省略する。
【００２１】
［サプリメント供給システム］
まず、図１を参照して、本実施形態に係るサプリメント供給システム１の概要を説明する。図１は、本発明の実施形態に係るサプリメント供給システム１を模式的に示す図である。サプリメント供給システム１は、ユーザに対してサプリメントを供給するシステムである。サプリメント供給システム１は、ユーザ毎に最適なサプリメント（オーダーメイドサプリメント）の供給態様を決定し、該供給態様に沿った供給となるようにサプリメントを供給する。ここでの供給態様とは、サプリメントの種類、量、組み合わせ、摂取タイミング等のサプリメント供給に係る種々の情報である。より詳細には、サプリメント供給システム１は、ユーザのトレーニングに係る情報を考慮して決定される供給態様に応じてサプリメントを供給する。このため、本実施形態における「サプリメント」とは、各種のスポーツサプリメントであり、例えば、各種プロテイン、アミノ酸、及びコンディション系サプリメント等である。
【００２２】
図１に示されるように、サプリメント供給システム１は、一例として、サプリメント供給支援装置１０と、ユーザ端末２０と、供給サーバ３０と、ウェアラブルデバイス４０とを含んで構成されている。なお、図１においては、サプリメント供給システム１の各構成を１つずつ記載しているが、実際には、ユーザ端末２０及びウェアラブルデバイス４０はユーザ（利用者）の数に応じて複数備わっている。また、サプリメント供給支援装置１０及び供給サーバ３０についても、１台ではなく複数であってもよい。サプリメント供給支援装置１０は、ユーザのトレーニングに係る情報を取得し、トレーニングに係る情報に応じてサプリメントの供給態様をレコメンド（推薦）するレコメンドアルゴリズムに基づいて、ユーザのトレーニングに係る情報に応じたサプリメントの供給態様を決定する装置である。サプリメント供給支援装置１０の詳細については後述する。
【００２３】
ユーザとしては、アスリート等、積極的にトレーニングを行うユーザを挙げることができ、具体的には、例えば、野球、サッカー、バスケット、テニス、ラグビー、アメリカンフットボール、バレーボール、卓球、バトミントン、陸上各種競技、スキー、スケート、アイスホッケー、並びにボクシング、レスリング及び柔道等の格闘技等の競技者、並びに、ボディビル及びフィジークなど、ボディメイクを競う競技の競技者等を挙げることができる。
【００２４】
また、ユーザとしては、週に３〜７日間、または４〜７日間、または５〜７日間、または６又は７日間、または毎日、１日当たり、１〜８時間、または２〜５時間、または３〜４時間、各競技に必要なトレーニングを行う者を挙げることができる。当該ユーザは、負荷が高いトレーニングを行うため、競技に向けたスケジュールに沿ったトレーニングが必要であり、短期間での疲労回復も含む効果的なトレーニング成果を得るため、トレーニング内容に合ったサプリメントを摂取する必要がある。
【００２５】
ユーザ端末２０は、ユーザが携帯する通信端末であり、例えばタブレット型端末、スマートフォン、フューチャーフォン、又はノート型パソコン等である。図１においてはユーザ端末２０がタブレット型端末である例を示している。ユーザ端末２０は、サプリメント供給支援装置１０、供給サーバ３０、及びウェアラブルデバイス４０と無線通信可能に構成されている。ユーザ端末２０は、操作者であるユーザによって入力される情報をサプリメント供給支援装置１０に送信する。ユーザによって入力される情報とは、大きく、ユーザがトレーニングを実施する前に入力するトレーニング実施前情報と、ユーザがトレーニングを実施した後に入力する（記録される）トレーニング実施後情報とに分けられる。
【００２６】
トレーニング実施前情報とは、例えば、実施予定のトレーニングの内容、実施予定のトレーニングの目的、ユーザのパーソナルデータ、及びユーザの生活データ等である。実施予定のトレーニングの内容とは、例えば実施予定のトレーニングの種目、強度（ＭＥＴＳ等で示される運動強度）、量、及び時間等の情報である。実施予定のトレーニングの目的とは、ユーザが求める効果を示す情報であり、例えば筋力強化、持久力強化、及び（体重）減量等の情報である。ユーザのパーソナルデータとは、例えばユーザの性別、年齢、伸長、体重、及び競技歴等の情報である。
【００２７】
例えば、競技種目がボディビルの場合、トレーニング種目としては、筋肉の強化部位が胸筋であれば、ベンチプレス、ダンベルベンチプレス(胸全体)、インクラインベンチプレス、インクラインダンベルベンチプレス(胸上部)、ディクラインダンベルプレス、ディップス(胸下部)、ダンベルフライ、ケーブルクロスオーバー(胸内側)等、背中であれば、懸垂(広背筋)、ディクラインダンベルローイング、ワンハンドローイング、ベントオーバーローイング、プルオーバー、ラットプルダウン、ロープーリー(広背筋)、ダンベルローイング、ショルダーシュラッグ、デッドリフト、ベントオーバーリアレイズ、ニーベントロー、アップライトロウ(僧帽筋)、バックエクステンション、ダンベルグッドモーニング(起立筋)、ワイドグリップラットプルダウン、プルオーバー(大円筋)、ダンベルローイング、ダンベルシュラッグ、ベントオーバーロー、ロープーリー、Tバーロウ等、三角筋であれば、ショルダープレス(三角筋全体)、アップライトロウ(三角筋全体)、フロントレイズ(三角筋前面)、サイドレイズ(三角筋中部)、リアラテラルレイズ、フェイスプル、リアデルタローイング、リアレイズ(三角筋後面)等、三頭筋であれば、プッシュアップ、ダンベルトライセプスプレス(三頭筋全体)、ディップス、トライセプスエクステンション、キックバック、フレンチプレス(三頭筋長頭)、プレスダウン(三頭筋短頭)等、二頭筋であれば、チンアップ、アームカール(二頭筋全体)、コンセントレーションカール、インクラインダンベルカール(二頭筋短頭)、ハンマーカール、サイドカール(二頭筋長頭)等、腹筋であれば、アブローラー（腹直筋）、アドミナルクランチ（腹直筋）、サイドベント(腹斜筋)、荷重プランク（腹横筋）等、大腿四頭筋であれば、スクワット、シシースクワット、レッグプレス、レッグエクステンション、ハックスクワット等、ハムストリングスであれば、スクワット、シシースクワット、レッグプレス、レッグエクステンション、ハックスクワット等、臀筋であれば、スクワット、ワイドスクワット、ブルガリアンスクワット、ヒップアブダクション、ヒップエクステンション、ヒップリフト、キックバック、アダクション等、腸腰筋であれば、バイシクルクランチ、レッグレイズ、バーベルスクワット等、内転筋であれば、ワイドスクワット、サイドランジ、アブダクション等、下腿三頭筋であれば、カーフレイズ等、を挙げることができる。
【００２８】
また、ユーザは、強度が高いトレーニングを行う場合、強化部位毎に分けてトレーニングを行うことで、当該トレーニングの翌日又はその翌々日は当該部位のリカバリーにあて、当該部位以外に関するトレーニングを行うことの繰り返しで全体の筋力効果を行うので、トレーニング当日だけでなく、少なくともその翌日から７日間先までの情報も、トレーニング実施前情報になる。
【００２９】
さらに、ユーザは、競技日まで長期間ある場合、数週間単位、一カ月単位、又は競技日まで等の期間を考慮した上で、各日のトレーニング種目、強度、量、時間等を決定することもあるので、当該期間の情報もトレーニング実施前情報になる。
【００３０】
トレーニング実施後情報とは、例えば、実施したトレーニングの内容、トレーニングの実施後にユーザが摂取したサプリメントの情報、及びユーザ体感情報等である。実施したトレーニングの内容とは、例えば実施したトレーニングの種目、強度（ＭＥＴＳ等で示される運動強度）、量、及び時間等の情報である。ユーザが摂取したサプリメントの情報とは、例えば摂取したサプリメントの種類、量、摂取時間、購入額等の情報である。ユーザ体感情報とは、実施したトレーニング及び摂取したサプリメントについてユーザが感じた事項（感想）であり、具体的には、例えば「トレーニング後にＸＸサプリメントを摂取したところ、翌日の回復が早かった」「持久系のトレーニング後に○○サプリメントを摂取するのは困難であった」等のユーザの感想である。
【００３１】
ユーザ端末２０は、ウェアラブルデバイス４０から送信された情報をサプリメント供給支援装置１０に送信する。ウェアラブルデバイス４０は、ユーザがトレーニング中に装着する端末であり、心拍数等の各種生体情報を自動的に取得する。ウェアラブルデバイス４０としては、例えば腕時計型又はアンダーウェア型等の従来から周知のウェアラブルデバイスを用いることができる。ユーザ端末２０は、ウェアラブルデバイス４０においてトレーニングの実施中に自動的に取得（記録）されたログ情報を、トレーニングの実施後において又はトレーニング中に、ウェアラブルデバイス４０から取得する。なお、ウェアラブルデバイス４０は、ユーザ端末２０を経ずに、サプリメント供給支援装置１０に対して直接、上述したログ情報を送信するものであってもよい。
【００３２】
ユーザ端末２０は、例えばユーザの操作（サプリメントの要求に係る操作）に応じて、供給サーバ３０に対してサプリメント要求を送信する。ユーザ端末２０は、ユーザからサプリメントの要求に係る操作を受けると、サプリメント供給支援装置１０からサプリメントの供給態様についての情報を受信し（或いは当該情報を事前に受信しておき）、該サプリメントの供給態様に応じてサプリメントが供給されるように、供給サーバ３０にサプリメント要求を送信する。供給サーバ３０は、サプリメント要求に応じて、サプリメントを供給するサーバである。すなわち、供給サーバ３０は、複数のサプリメントを予め格納しており、サプリメント要求に応じて一又は複数のサプリメントを供給（排出）する。供給サーバ３０は、例えばスポーツジム等に設置されている。供給サーバ３０は、サプリメント供給支援装置１０において決定された供給態様でサプリメントを供給するものであり、決定された供給態様で示される種類、量、組み合わせのサプリメントを供給する。また、供給態様においてサプリメントの摂取タイミングが決められている場合には、サプリメント供給支援装置１０は、例えば摂取タイミングを記載した包装等に各サプリメントを包み、各サプリメントを供給する。
【００３３】
（サプリメント供給支援装置）
次に、図２及び図３を参照して、サプリメント供給支援装置１０について説明する。図２に示されるように、サプリメント供給支援装置１０は、取得部１１と、アルゴリズム生成部１２（生成部）と、アルゴリズム記憶部１３と、サプリメント決定部１４（決定部）とを備えている。サプリメント供給支援装置１０は、サプリメントの供給態様を決定するための情報として、予め、サプリメントの供給態様をレコメンドするレコメンドアルゴリズムを生成しており、ユーザからの情報に基づいて該レコメンドアルゴリズムを適宜更新する。そして、サプリメント供給支援装置１０は、レコメンドアルゴリズムに、ユーザのトレーニングに係る情報を入力することにより、ユーザのトレーニングに係る情報に応じたサプリメントの供給態様を決定する。
【００３４】
取得部１１は、ユーザのトレーニングに係る情報を、ユーザ端末２０及びウェアラブルデバイス４０から受信（取得）する。具体的には、取得部１１は、ユーザのトレーニングに係る情報として、ユーザがトレーニングを実施することにより得られるトレーニング実施情報を、ユーザ端末２０及びウェアラブルデバイス４０から取得する。取得部１１は、トレーニング実施情報として、トレーニングの実施後においてユーザによって記録される実施したトレーニングの内容、トレーニングの実施後にユーザが摂取したサプリメントの情報、及びユーザ体感情報等のトレーニング実施後情報（上述）を、ユーザ端末２０から取得する。また、取得部１１は、トレーニング実施情報として、トレーニングの実施中に自動的に記録されるログ情報を、ウェアラブルデバイス４０から取得する。
【００３５】
さらに、取得部１１は、ユーザのトレーニングに係る情報として、ユーザがトレーニングを実施する前に得られるトレーニング実施前情報（上述）を、ユーザ端末２０から取得する。取得部１１は、トレーニング実施前情報として、実施予定のトレーニングの内容、実施予定のトレーニングの目的、ユーザの生活データ等を取得する。
【００３６】
アルゴリズム生成部１２は、レコメンドアルゴリズムを生成する。レコメンドアルゴリズムとは、入力されたトレーニングに係る情報に応じてサプリメントの供給態様をレコメンドするアルゴリズムである。供給態様とは、サプリメントの種類、量、組み合わせ、摂取タイミング等のサプリメント供給に係る種々の情報である。アルゴリズム生成部１２は、例えば、取得部１１によって取得される、複数のユーザのトレーニングに係る情報と摂取しているサプリメントに係る情報とに基づき、レコメンドアルゴリズムを生成する。また、アルゴリズム生成部１２は、複数のユーザのトレーニングに係る情報と摂取しているサプリメントに係る情報とに基づき、レコメンドアルゴリズムを適宜更新してもよい。すなわち、アルゴリズム生成部１２は、トレーニングとサプリメントとの対応関係を考慮して、レコメンドアルゴリズムを生成・更新する。
【００３７】
アルゴリズム生成部１２は、トレーニング頻度又は強度が所定の閾値以上のユーザに関するトレーニングに係る情報及びサプリメントに係る情報のみを用いて、レコメンドアルゴリズムを生成又は更新してもよい。トレーニング頻度の閾値は、例えば週に３〜７日間、または４〜７日間、または５〜７日間、または６又は７日間、または毎日、１日当たり、１〜８時間、または２〜５時間、または３〜４時間程度とされてもよい。トレーニング強度の閾値は、例えば筋力アップが目的であれば最大反復回数（ＲＭ）を１〜１０ＲＭに、筋肥大が目的であれば、１０〜２０ＲＭに、筋持久力向上が目的であれば、１５〜２０ＲＭ程度に設定されてもよい。アルゴリズム生成部１２は、生成したレコメンドアルゴリズムをアルゴリズム記憶部１３に格納する。また、アルゴリズム生成部１２は、アルゴリズム記憶部１３に格納されているレコメンドアルゴリズムを更新する。
【００３８】
アルゴリズム記憶部１３は、アルゴリズム生成部１２によって生成されたレコメンドアルゴリズムを記憶する。
【００３９】
サプリメント決定部１４は、アルゴリズム記憶部１３に記憶されているレコメンドアルゴリズムに基づいて、取得部１１によって取得されたユーザのトレーニングに係る情報に応じたサプリメントの供給態様を決定する。サプリメント決定部１４は、決定したサプリメントの供給態様をユーザ端末２０に送信する。サプリメント決定部１４は、決定した際にサプリメントの供給態様をユーザ端末２０に送信してもよいし、ユーザ端末２０からの要求に応じてサプリメントの供給態様をユーザ端末２０に送信してもよい。
【００４０】
具体的には、サプリメント決定部１４は、取得部１１によって取得されたトレーニング実施情報をレコメンドアルゴリズムに入力することにより、サプリメントの供給態様を決定する。すなわち、サプリメント決定部１４は、ログ情報及びユーザ体感情報等をレコメンドアルゴリズムに入力することによりサプリメントの供給態様を決定する。
【００４１】
また、サプリメント決定部１４は、取得部１１によって取得されたトレーニング実施前情報をレコメンドアルゴリズムに入力することにより、サプリメントの供給態様を決定してもよい。すなわち、サプリメント決定部１４は、トレーニングの内容、トレーニングの目的、及び生活データ等をレコメンドアルゴリズムに入力することによりサプリメントの供給態様を決定してもよい。なお、サプリメント決定部１４は、上述したトレーニング実施情報及びトレーニング実施前情報の一部をレコメンドアルゴリズムに入力するものであってもよいし、任意の複数の情報を入力するものであってもよい。
【００４２】
図３は、サプリメント供給支援装置１０のハードウェア構成図である。図３に示されるように、サプリメント供給支援装置１０は、一つ又は複数のプロセッサ１０３と、メモリ１０４と、ストレージ１０５と、入出力ポート１０６と、を有する回路１００により構成される。入出力ポート１０６は、ユーザ端末２０及びウェアラブルデバイス４０との間で制御信号の入出力を行う。ストレージ１０５は、各種処理を実行するためのプログラムを記録している。ストレージ１０５は、コンピュータ読み取り可能であればどのようなものであってもよい。具体例として、ハードディスク、不揮発性の半導体メモリ、磁気ディスク及び光ディスク等が挙げられる。メモリ１０４は、ストレージ１０５からロードしたプログラム及びプロセッサ１０３の演算結果等を一時的に記憶する。プロセッサ１０３は、メモリ１０４と協働してプログラムを実行することで、上述した各機能モジュールを構成する。
【００４３】
なお、サプリメント供給支援装置１０のハードウェア構成は、必ずしもプログラムにより各機能モジュールを構成するものに限られない。例えばサプリメント供給支援装置１０の各機能モジュールは、専用の論理回路又はこれを集積したＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）により構成されていてもよい。
【００４４】
［供給態様決定処理］
次に、図４を参照して、サプリメント供給支援装置１０が実行する供給態様決定処理について説明する。図４は、サプリメント供給支援装置１０が実行する供給態様決定処理のフローチャートである。なお、当該処理が行われる前提として、サプリメント供給支援装置１０においてはレコメンドアルゴリズムが生成済みであるとする。
【００４５】
図４に示されるように、サプリメント供給支援装置１０は、まず、ユーザのトレーニングに係る情報を取得する（ステップＳ１）。具体的には、サプリメント供給支援装置１０は、ユーザがトレーニングを実施することにより得られるトレーニング実施情報を、ユーザ端末２０及びウェアラブルデバイス４０から取得する。また、サプリメント供給支援装置１０は、ユーザがトレーニングを実施する前に得られるトレーニング実施前情報を、ユーザ端末２０から取得する。
【００４６】
つづいて、サプリメント供給支援装置１０は、取得したユーザのトレーンングに係る情報をレコメンドアルゴリズムに入力する（ステップＳ２）。そして、サプリメント供給支援装置１０は、レコメンドアルゴリズムからの出力結果に基づいて、サプリメントの供給態様を決定する（ステップＳ３）。サプリメントの供給態様とは、サプリメントの種類、量、組み合わせ、摂取タイミング等のサプリメント供給に係る種々の情報である。最後に、サプリメント供給支援装置１０は、決定したサプリメントの供給態様をユーザ端末２０に送信する（ステップＳ４）。以上が、サプリメント供給支援装置１０が実行する供給態様決定処理である。その後、ユーザ端末２０から供給サーバ３０にサプリメント要求が送信され、供給態様に応じたサプリメントが供給サーバ３０からユーザに供給（排出）される。
【００４７】
［更新利用情報判定処理］
次に、図５を参照して、サプリメント供給支援装置１０が実行する更新利用情報判定処理について説明する。図５は、サプリメント供給支援装置１０が実行する更新利用情報判定処理のフローチャートである。ここでの更新利用情報判定処理とは、サプリメント供給支援装置１０が、レコメンドアルゴリズムの更新に利用するユーザの情報であるか否かを判定する処理である。
【００４８】
図５に示されるように、更新利用情報判定処理では、サプリメント供給支援装置１０は、まず、レコメンドアルゴリズムの更新に利用しようとするユーザのトレーニングに係る情報において、トレーニング頻度及び強度が所定値以上であるか否かを判定する（ステップＳ１１）。トレーニング頻度及び強度の少なくともいずれか一方が所定値以上でない場合には、当該ユーザのトレーニングに係る情報をレコメンドアルゴリズムの更新に利用しないと決定する（ステップＳ１４）。
【００４９】
一方で、トレーニング頻度及び強度の双方が所定値以上である場合には、サプリメント供給支援装置１０は、当該ユーザのサプリメントに係る情報において、サプリメントの摂取頻度が所定値以上であるか否かを判定する（ステップＳ１２）。サプリメントの摂取頻度が所定値以上でない場合には、当該ユーザのサプリメントに係る情報をレコメンドアルゴリズムの更新に利用しないと決定する（ステップＳ１４）。一方で、サプリメントの摂取頻度が所定値以上である場合には、サプリメント供給支援装置１０は、当該ユーザのトレーニングに係る情報及びサプリメントに係る情報を、レコメンドアルゴリズムの更新に利用すると決定し（ステップＳ１３）、レコメンドアルゴリズムの更新を行う。以上が、サプリメント供給支援装置１０が実行する更新利用情報判定処理である。
【００５０】
［作用効果］
次に、本実施形態に係るサプリメント供給支援装置１０の作用効果について説明する。
【００５１】
本実施形態に係るサプリメント供給支援装置１０は、ユーザのトレーニングに係る情報を取得する取得部１１と、トレーニングに係る情報に応じてサプリメントの供給態様をレコメンドするレコメンドアルゴリズムに基づいて、ユーザのトレーニングに係る情報に応じたサプリメントの供給態様を決定するサプリメント決定部１４と、を備える。
【００５２】
本実施形態に係るサプリメント供給支援装置１０では、ユーザのトレーニングに係る情報がレコメンドアルゴリズムに入力されて、該ユーザのトレーニングに係る情報に応じたサプリメントの供給態様が決定される。このように、ユーザのトレーニングに係る情報が考慮されて、例えばサプリメントの種類、量、摂取タイミング等の供給態様が決定されることにより、トレーニングを行うユーザに適した供給態様でサプリメントを供給することができる。
【００５３】
上記サプリメント供給支援装置１０において、取得部１１は、ユーザのトレーニングに係る情報として、ユーザがトレーニングを実施することにより得られるトレーニング実施情報を取得し、サプリメント決定部１４は、トレーニング実施情報をレコメンドアルゴリズムに入力することにより、サプリメントの供給態様を決定する。このように、実際にトレーニングを実施して得られる情報に基づいてサプリメントの供給態様が決定されることにより、トレーニングの実施結果に対応した供給態様でサプリメントを供給することができる。
【００５４】
上記サプリメント供給支援装置１０において、取得部１１は、トレーニング実施情報として、トレーニングの実施中に自動的に記録されるログ情報を取得し、サプリメント決定部１４は、ログ情報をレコメンドアルゴリズムに入力することにより、サプリメントの供給態様を決定する。これにより、ユーザの感覚ではなくデータとして実際に記録された情報に基づいて、トレーニングの実施結果に対応したサプリメントを供給することができる。
【００５５】
上記サプリメント供給支援装置１０において、取得部１１は、トレーニング実施情報として、トレーニングの実施後においてユーザによって記録されるユーザ体感情報を取得し、サプリメント決定部１４は、ユーザ体感情報をレコメンドアルゴリズムに入力することにより、サプリメントの供給態様を決定する。これにより、トレーニングを行ったユーザの感想等の体感情報を考慮して、よりユーザの要望（感覚）に沿ったサプリメントを供給することができる。
【００５６】
上記サプリメント供給支援装置１０において、取得部１１は、ユーザのトレーニングに係る情報として、ユーザがトレーニングを実施する前に得られるトレーニング実施前情報を取得し、サプリメント決定部１４は、トレーニング実施前情報をレコメンドアルゴリズムに入力することにより、サプリメントの供給態様を決定する。トレーニングを実施する前に得られる情報に基づいてサプリメントの供給態様が決定されることにより、これから実施するトレーニングに対応した供給態様でサプリメントを供給することができる。
【００５７】
上記サプリメント供給支援装置１０において、取得部１１は、トレーニング実施前情報として、実施予定のトレーニングの内容を取得し、サプリメント決定部１４は、トレーニングの内容をレコメンドアルゴリズムに入力することにより、サプリメントの供給態様を決定する。これにより、これから実施するトレーニングの内容（強度、量等）に沿ったサプリメントを供給することができる。
【００５８】
上記サプリメント供給支援装置１０において、取得部１１は、トレーニング実施前情報として、実施予定のトレーニングの目的を取得し、サプリメント決定部１４は、トレーニングの目的をレコメンドアルゴリズムに入力することにより、サプリメントの供給態様を決定する。これにより、これから実施するトレーニングの目的（筋力強化、持久力強化、ダイエット等）に沿ったサプリメントを供給することができる。
【００５９】
上記サプリメント供給支援装置１０において、取得部１１は、トレーニング実施前情報として、ユーザの生活データを取得し、サプリメント決定部１４は、生活データをレコメンドアルゴリズムに入力することにより、サプリメントの供給態様を決定する。これにより、例えば睡眠時間等のユーザ特有の生活データを考慮して、ユーザの生活パターンに沿ったサプリメントを供給することができる。
【００６０】
サプリメント供給支援装置１０は、レコメンドアルゴリズムを生成するアルゴリズム生成部１２を更に備えており、該アルゴリズム生成部１２は、複数のユーザのトレーニングに係る情報と摂取しているサプリメントに係る情報とに基づき、レコメンドアルゴリズムを更新する。このように、各ユーザのトレーニングに係る情報とサプリメントに係る情報とが考慮されてレコメンドアルゴリズムが更新されることにより、該レコメンドアルゴリズムを用いて、トレーニングとの関連度が高いサプリメントを供給することができる。
【００６１】
上記サプリメント供給支援装置１０において、アルゴリズム生成部１２は、トレーニング頻度又は強度が所定の閾値以上のユーザに関するトレーニングに係る情報及びサプリメントに係る情報のみを用いて、レコメンドアルゴリズムを生成又は更新する。このように、トレーニング頻度及び強度が高いユーザの情報のみを用いてレコメンドアルゴリズムが生成（及び更新）されることにより、例えばあまりトレーニングを行わないユーザ（すなわち、トレーニングとサプリメントとが適切に対応付いていない可能性が高いユーザ）を除いてレコメンドアルゴリズムを生成（及び更新）することができる。このように生成したレコメンドアルゴリズムを用いることによって、トレーニングを行うユーザにより適した供給態様でサプリメントを供給することができる。
【００６２】
上記サプリメント供給支援装置１０において、アルゴリズム生成部１２は、サプリメントの摂取頻度が所定の閾値以上のユーザに関するトレーニングに係る情報及びサプリメントに係る情報のみを用いて、レコメンドアルゴリズムを生成又は更新する。このように、サプリメントの摂取頻度が高いユーザの情報のみを用いてレコメンドアルゴリズムが生成（及び更新）されることにより、例えばあまりサプリメントを摂取しないユーザ（すなわち、トレーニングとサプリメントとが適切に対応付いていない可能性が高いユーザ）を除いてレコメンドアルゴリズムを生成（及び更新）することができる。このように生成したレコメンドアルゴリズムを用いることによって、トレーニングを行うユーザにより適した供給態様でサプリメントを供給することができる。
【００６３】
以上、本実施形態に係るサプリメント供給システム１について説明したが、本発明は上記実施形態に限定されない。例えば、サプリメント供給システム１は、サプリメントを供給（排出）する供給サーバ３０を有しているとして説明したがこれに限定されず、供給サーバ３０を有していなくてもよい。また、サプリメント供給システム１は、ウェアラブルデバイス４０を有していなくてもよい。すなわち、サプリメント供給システム１は、サプリメントの供給態様を決定するサプリメント供給支援装置１０があればよい。例えば供給サーバ３０を有していない構成においては、サプリメント供給システム１は、サプリメント供給支援装置１０によって決定された供給態様となるように、サプリメントをユーザに対して発送するものであってもよい。
【００６４】
また、サプリメント供給支援装置１０は、レコメンドアルゴリズムを生成・更新するとして説明したがこれに限定されず、自身ではレコメンドアルゴリズムを生成・更新せずに、外部装置からレコメンドアルゴリズムを取得するものであってもよい。
【００６５】
最後に、上述したトレーニング強度及びサプリメントの摂取頻度について、詳述する。
【００６６】
＜トレーニング強度＞
トレーニング強度は、トレーニングの目的に応じて設定することができる。例えば、トレーニングの目的が、狙った筋肉の筋肉強度を上げること（筋力アップ）である場合、最大反復回数（ＲＭ。ある負荷強度で全力の反復が何回可能かであるかのおおよその回数）を１〜１０ＲＭに、筋肥大が目的であれば、１０〜２０ＲＭに、筋持久力向上が目的であれば、１５〜２０ＲＭに設定する例を挙げることができる。ＲＭとセット数を入力することで、当該トレーニングの総強度が計算され、当該強度に応じたサプリメントが提供される。また、トレーニング強度を、消費カロリーを指標にして設定したい場合は、ＭＥＴｓ値を用いることもできる。例えば、自重による腹筋、背筋、腕立て伏せ、スクワットなど軽度なトレーニングの場合は３．５ＭＥＴｓ、高強度のウェイトトレーニングの場合は６．０ＭＥＴｓ、９．７Ｋｍ／ｈのスピードでのランニングの場合は１０ＭＥＴｓのように、各種トレーニングの強度又はトレーニング種目毎にＭＥＴｓは予め決められているので、ＭＥＴｓ値、自分の体重、及びトレーニング時間を入力することにより、当該トレーニングを実施した場合の総消費カロリーが計算され、当該カロリーに応じたサプリメントが提供される。
【００６７】
＜サプリメント摂取頻度＞
サプリメントの摂取は、トレーニングと同時に摂取してしてもよいし、食事と共に摂取してもよい。従って、トレーニングと同時に摂取する場合の摂取頻度はトレーニングの頻度と同様であり、週に３〜７日間、または４〜７日間、または５〜７日間、または６又は７日間、または毎日、サプリメントを摂取する。トレーニングの実施と共にサプリメントを摂取する場合、トレーニング内容やサプリメントの種類に応じて、トレーニング前、トレーニング中又はトレーニング後にサプリメントを摂取する。またサプリメントを食事と共に摂取する場合、ユーザが食事をする頻度に応じて、食事毎に摂取してもよい。１日あたりのトレーニング摂取頻度としては、１回〜１０回の間でトレーニング頻度や食事の頻度に応じて設定できる。
【符号の説明】
【００６８】
１０…サプリメント供給支援装置、１１…取得部、１２…アルゴリズム生成部（生成部）、１４…サプリメント決定部（決定部）。
【図１】
2020170940.tif 000003
【図２】
2020170940.tif 000004
【図３】
2020170940.tif 000005
【図４】
2020170940.tif 000006
【図５】
2020170940.tif 000007
【国際調査報告】
2020170940.tif 000008
2020170940.tif 000009
2020170940.tif 000010
2020170940.tif 000011
2020170940.tif 000012